(57)【要約】【課題】処理能力を超えるような大量のデータが入力されても、その中から特に重要となるデータを落とすことなく取得することができる情報受信装置及び情報受信方法を提供する。【解決手段】複数の情報送出装置から送出されたデータを受信した場合、全データを処理することが不可能なデータ量であれば、受信した各データの暗号化の段数に基づいて、各データの復号及び伸張の優先順位を決定し、決定した優先順位で各データを復号し、更に復号した各データを伸張する。これにより、処理能力を超えたデータを処理しなければならない場合、受信した複数のデータの中から重要と考えられるデータを選び出して、他のデータよりも優先的に処理を行うことが可能となる。そして、映像監視システムに適用した場合は、重要なデータの映像データがコマ落ちしたり、音声データが途切れたりすることがなくなるので、映像監視システムの役割を充分に果たすことができる。【選択図】図８
2008147733.tif 000002
【特許請求の範囲】
【請求項１】
情報送出装置から送出されるデータを受信するデータ受信手段と、
前記データ受信手段で受信されたデータが暗号化の段数に関わる情報を含む圧縮及び暗号化されたデータである場合に、該データから暗号化の段数に関わる情報を分離するデータ分離手段と、
複数の前記情報送出装置からのデータを受信した場合、受信した各データの暗号化の段数に基づいて、各データの復号及び伸張の優先順位を決定する優先順位決定手段と、
前記優先順位決定手段で決定された優先順位で前記複数のデータ夫々を復号する暗号復号手段と、
前記暗号復号手段で復号された前記複数のデータ夫々を伸張する伸張手段と、
を備えた情報受信装置。
【請求項２】
前記伸張手段は、画像データ、音声データ、動画像データ又はテキストデータを含む各種データを伸張する請求項１に記載の情報受信装置。
【請求項３】
前記暗号復号手段は、インボリュージョン型のデータ暗号化アルゴリズムに従って復号する請求項１又は請求項２に記載の情報受信装置。
【請求項４】
前記データ受信手段は、装置外部のネットワークからデータを受信する請求項１乃至請求項３のいずれかに記載の情報受信装置。
【請求項５】
前記優先順位決定手段は、暗号化の段数が多いデータを優先的に復号及び伸張の優先順位を決定する請求項１乃至請求項４のいずれかに記載の情報受信装置。
【請求項６】
前記優先順位決定手段は、暗号化の段数が少ないデータを優先的に復号及び伸張の優先順位を決定する請求項１乃至請求項４のいずれかに記載の情報受信装置。
【請求項７】
データを記憶するデータ記憶手段を備え、
前記優先順位決定手段は、復号及び伸張する優先順位が低いと判断したデータを前記データ記憶手段に記憶する請求項１乃至請求項６のいずれかに記載の情報受信装置。
【請求項８】
前記優先順位決定手段は、復号及び伸張の優先順位を決定する際に閾値を設定し、該閾値に満たないデータは全て前記データ記憶手段に記憶する請求項７に記載の情報受信装置。
【請求項９】
圧縮したデータを生成するデータ生成手段と、
ユーザ指定された暗号化の段数に従って前記データ生成手段で生成されたデータを暗号化する暗号化手段と、
データ暗号化の段数に関わる情報と前記暗号化手段で暗号化されたデータを統合するデータ統合手段と、
前記データ統合手段で統合されたデータを装置外部へ送出するデータ送出手段と、
を備えた情報送出装置。
【請求項１０】
請求項１乃至請求項８のいずれかに記載の情報受信装置と、
請求項９に記載の情報送出装置と、
を備えたデータ送受信システム。
【請求項１１】
情報送出装置から送出されるデータを受信するデータ受信工程と、
前記データ受信工程で受信されたデータが暗号化の段数に関わる情報を含む圧縮及び暗号化されたデータである場合に、該データから暗号化の段数に関わる情報を分離するデータ分離工程と、
複数の前記情報送出装置からのデータを受信した場合、受信した各データの暗号化の段数に基づいて、各データの復号及び伸張の優先順位を決定する優先順位決定工程と、
前記優先順位決定工程で決定された優先順位で前記複数のデータ夫々を復号する暗号復号工程と、
前記暗号復号工程で復号された前記複数のデータ夫々を伸張する伸張工程と、
を備えた情報受信方法。
【発明の詳細な説明】
【技術分野】
【０００１】
本発明は、インターネット等のネットワークに接続された複数の情報送出装置から送出される暗号化データを受信する情報受信装置及び情報受信方法に関する。
【背景技術】
【０００２】
近年の治安の悪化に対応して、街頭や公共施設の状況をモニタリング可能な映像監視システムが登場しつつある。この映像監視システムはデジタル化されており、情報送出装置（カメラ）と、該情報送出装置からの映像データを受信する情報受信装置とから構成されるのが一般的であるが、モニタリングだけではなく情報記録装置（レコーダ）による映像データの蓄積並びに保管も可能なように構成されていることが多い。更には上記各装置をインターネットに接続することで遠隔地からカメラを制御し、遠隔地の情報記録装置に記録するといったことも可能である。このようなインターネットに接続されたオープンなシステムでは、その特性上セキュリティ機能が重要なものとなる。したがって、上記の映像監視システムを構成する各装置に、「盗聴」、「改ざん」、「成りすまし」といった脅威に対抗する機能が求められている。
【０００３】
また、映像監視システムを構成する各装置は、処理性能をコンピュータと比較すると低いのが通常であるが、データのエンコード及びデコード、データの暗号化／復号、データの送出／受信処理等の様々な処理をリアルタイムに行う必要がある。
【０００４】
従来、多重画像を復号化し、表示装置の異なるウィンドウ内に多重画像を同時に表示する場合で、表示する全画像の復号化に要する全処理負荷が１００％を超える場合、表示ウィンドウのサイズに応じて復号化の優先度を決定するようにした提案がある（例えば、特許文献１参照）。
【０００５】
【特許文献１】特表２００２−５３２９９８号公報
【発明の開示】
【発明が解決しようとする課題】
【０００６】
ところで、映像監視システムを構成する情報受信装置は、複数の情報送出装置からのデータ（暗号化された映像や音声等のデータ）を受け取る場合に、「受信処理」、「暗号の復号処理」、「復号したデータのデコード」及び「表示」等の処理をそれぞれの情報送出装置からのデータに対して行うことになるが、多くの台数の情報送出装置からの大量のデータを処理する時には情報受信装置の処理能力を超えてしまい、その結果、受信したデータを正しく視聴することができず、例えば映像データがコマ落ちしたり、音声データが途切れたりする問題が生じる。この問題は映像監視システムの役割からして致命的なことである。
【０００７】
本発明は、係る事情に鑑みてなされたものであり、処理能力を超えるような大量のデータが入力されても、その中から特に重要となるデータを落とすことなく取得することができる情報受信装置及び情報受信方法を提供することを目的とする。
【課題を解決するための手段】
【０００８】
上記目的は下記構成又は方法により達成される。
（１）  情報受信装置において、情報送出装置から送出されるデータを受信するデータ受信手段と、前記データ受信手段で受信されたデータが暗号化の段数に関わる情報を含む圧縮及び暗号化されたデータである場合に、該データから暗号化の段数に関わる情報を分離するデータ分離手段と、複数の前記情報送出装置からのデータを受信した場合、受信した各データの暗号化の段数に基づいて、各データの復号及び伸張の優先順位を決定する優先順位決定手段と、前記優先順位決定手段で決定された優先順位で前記複数のデータ夫々を復号する暗号復号手段と、前記暗号復号手段で復号された前記複数のデータ夫々を伸張する伸張手段と、を備える。
【０００９】
この構成によれば、複数の情報送出装置からデータが送出された場合、受信した各データの暗号化の段数に基づいて、各データの復号及び伸張の優先順位を決定し、決定した優先順位で各データを復号し、更に復号した各データを伸張する。したがって、例えば、処理能力を超えたデータを処理しなければならない場合、受信した複数のデータの中から重要と考えられるデータを選び出して、他のデータよりも優先的に処理を行うことが可能となる。そして、映像監視システムでは、重要なデータの映像データがコマ落ちしたり、音声データが途切れたりすることがなくなるので、映像監視システムの役割を充分に果たすことができる。
【００１０】
（２）  上記（１）に記載の情報受信装置において、前記伸張手段は、画像データ、音声データ、動画像データ又はテキストデータを含む各種データを伸張する。
【００１１】
この構成によれば、様々なデータの復号並びに伸張が可能である。
【００１２】
（３）  上記（１）又は（２）に記載の情報受信装置において、前記暗号復号手段は、インボリュージョン型のデータ暗号化アルゴリズムに従って復号する。
【００１３】
この構成によれば、暗号の処理段数が可変である暗号化アルゴリズムを採用することで、高速な通信速度が要求される場面では暗号処理の段数を少なくし、あまり高速な通信速度が要求されない場面では暗号処理の段数を多くするといった機能を持たせることができる。
【００１４】
（４）  上記（１）乃至（３）のいずれかに記載の情報受信装置において、前記データ受信手段は、装置外部のネットワークからデータを受信する。
【００１５】
この構成によれば、例えば、複数の情報送出装置がインターネットで接続された映像監視システムにおいて、各情報送出装置から送出された映像データを受信することができる。
【００１６】
（５）  上記（１）乃至（４）のいずれかに記載の情報受信装置において、前記優先順位決定手段は、暗号化の段数が多いデータを優先的に復号及び伸張の優先順位を決定する。
【００１７】
この構成によれば、受信した複数のデータの中から重要と考えられるデータを選びだして、他のデータよりも優先的に処理を行うことが可能となる。
【００１８】
（６）  上記（１）乃至（４）のいずれかに記載の情報受信装置において、前記優先順位決定手段は、暗号化の段数が少ないデータを優先的に復号及び伸張の優先順位を決定する。
【００１９】
この構成によれば、受信した複数のデータの中から重要と考えられるデータを選びだして、他のデータよりも優先的に処理を行うことが可能となる。
【００２０】
（７）  上記（１）乃至（６）のいずれかに記載の情報受信装置において、データを記憶するデータ記憶手段を備え、前記優先順位決定手段は、復号及び伸張する優先順位が低いと判断したデータを前記データ記憶手段に記憶する。
【００２１】
この構成によれば、復号及び伸張する優先順位が低いデータを記憶するので、重要度の高いデータを復号、伸張した後に、重要度の低いデータを復号、伸張することができ、全てのデータを１つも取りこぼすことなく処理することが可能となる。
【００２２】
（８）  上記（７）に記載の情報受信装置において、前記優先順位決定手段は、復号及び伸張の優先順位を決定する際に閾値を設定し、該閾値に満たないデータは全て前記データ記憶手段に記憶する。
【００２３】
この構成によれば、重要度の低いデータを確実に分けることができる。
【００２４】
（９）  情報送出装置において、圧縮したデータを生成するデータ生成手段と、ユーザ指定された暗号化の段数に従って前記データ生成手段で生成されたデータを暗号化する暗号化手段と、データ暗号化の段数に関わる情報と前記暗号化手段で暗号化されたデータを統合するデータ統合手段と、前記データ統合手段で統合されたデータを装置外部へ送出するデータ送出手段と、を備える。
【００２５】
この構成によれば、送出するデータの重要度を暗号化の段数を決めることで設定することができ、重要なデータを確実に情報受信装置のユーザに知らせることができる。
【００２６】
（１０）  データ送受信システムにおいて、上記（１）乃至（８）のいずれかに記載の情報受信装置と、上記（９）に記載の情報送出装置と、を備える。
【００２７】
この構成によれば、情報送出装置と情報受信装置との間で重要度の高いデータの授受を確実に行うことができるデータ送受信システムを実現できる。
【００２８】
（１１）  情報受信方法において、情報送出装置から送出されるデータを受信するデータ受信工程と、前記データ受信工程で受信されたデータが暗号化の段数に関わる情報を含む圧縮及び暗号化されたデータである場合に、該データから暗号化の段数に関わる情報を分離するデータ分離工程と、複数の前記情報送出装置からのデータを受信した場合、受信した各データの暗号化の段数に基づいて、各データの復号及び伸張の優先順位を決定する優先順位決定工程と、前記優先順位決定工程で決定された優先順位で前記複数のデータ夫々を復号する暗号復号工程と、前記暗号復号工程で復号された前記複数のデータ夫々を伸張する伸張工程と、を備える。
【００２９】
この方法によれば、複数の情報送出装置からデータが送出された場合、受信した各データの暗号化の段数に基づいて、各データの復号及び伸張の優先順位を決定し、決定した優先順位で各データを復号し、更に復号した各データを伸張する。したがって、例えば、処理能力を超えたデータを処理しなければならない場合、受信した複数のデータの中から重要と考えられるデータを選び出して、他のデータよりも優先的に処理を行うことが可能となる。そして、映像監視システムでは、重要なデータの映像データがコマ落ちしたり、音声データが途切れたりすることがなくなるので、映像監視システムの役割を充分に果たすことができる。
【発明を実施するための最良の形態】
【００３０】
以下、本発明を実施するための好適な実施の形態について、図面を参照して詳細に説明する。
【００３１】
図１は、本発明の一実施の形態に係るデータ送受信システムの概略構成を示すブロック図である。同図において、本実施の形態のデータ送受信システムは、映像監視用として実現したものであり、シーンを撮像して符号化した後に暗号化を行い、暗号化データを装置外部へ送出する情報送出装置１０と、情報送出装置１０から送出されたデータを受信して、暗号化データを復号し、その後にデコードを行い、表示すると共に記憶を行う情報受信装置２０と、各装置が接続されるインターネット等の通信ネットワーク３０とを備えて構成される。通信ネットワーク３０には情報送出装置１０からのデータを記録する機能を持つ情報記録装置４０が接続されている。
【００３２】
図２は、情報送出装置１０の概略構成を示すブロック図である。同図において、情報送出装置１０は、暗号演算部（暗号化手段）１１、データ生成部（データ生成手段）１２、演算／制御部１３、データ入出力部（データ送出手段）１４、操作／入力部１５、不揮発性メモリ部１６、揮発性メモリ部１７、光学部１８及びデータ統合部（データ統合手段）１９を備えて構成される。演算／制御部１３は、操作／入力部１５にて撮影指示がなされると、不揮発性メモリ部１６に予め格納されている制御プログラムに従って装置各部を制御して映像データ等の生成処理を行う。光学部１８は、ＣＣＤ（Charge Coupled Device）やＣＭＯＳ（Complementary Metal Oxide Semiconductor）といった光学センサを含み、撮影指示がなされると被写体の撮影を行い、得られた映像データをデータ生成部１２へ送る。
【００３３】
データ生成部１２は、光学部１８からの映像データに対して電気信号処理、デジタル信号処理、データの圧縮処理（エンコード）を行う。生成するデータとしては、例えば画像データ、音声データ、動画像データ、テキストデータなどである。揮発性メモリ部１７は、演算処理済の映像データ等を格納する。暗号演算部１１は、指定されているパラメータ（暗号化の段数、鍵長）に従って、データ生成部１２で生成された画像データ等を暗号化する。データ入出力部１４は、外部ネットワークとのインタフェースであり、送信する機能と外部からのデータを受信する機能を有する。操作／入力部１５は、撮影者の撮影指示をはじめとする各種の指示を外部から受け付けるためのものである。データ統合部１９は、映像データや暗号演算に関わるデータをはじめとする情報送出装置１０内で生成した各データをまとめる（統合する）機能を有する。
【００３４】
図３は、情報受信装置２０の概略構成を示すブロック図である。同図において、情報受信装置２０は、暗号復号部（暗号復号手段）２１、デコード部（伸張手段）２２、演算／制御部（優先順位決定手段）２３、データ入出力部（データ受信手段）２４、操作／入力部２５、不揮発性メモリ部２６、メモリ部（データ記憶手段）２７、表示部２８及びデータ分離部（データ分離手段）２９を備えて構成される。演算／制御部２３は、操作／入力部２５にて操作指示がなされると、不揮発性メモリ部２６に予め格納されている制御プログラムに従って装置各部を制御する。また、データに施された暗号化の段数に基づいてデコードの優先順位を決定する。
【００３５】
デコード部２２は、暗号復号部２１にて復号されたデータに対してデコード（圧縮したデータの伸張処理）を行う。データ入出力部２４で受信されるデータは、例えば画像データ、音声データ、動画像データ、テキストデータなどであり、これら各種データを伸張する。メモリ部２７は、データを記憶する。暗号復号部２１は、指定されているパラメータ（復号の段数、鍵長）に従ってデータ入出力部２４で受信されたデータを復号する。この場合、インボリュージョン型のデータ暗号化アルゴリズムに従って復号する。インボリュージョン型のデータ暗号化アルゴリズムは、暗号の処理段数が可変であるので、情報送出装置１０では、高速な通信速度が要求される場面では暗号処理の段数を少なくし、あまり高速な通信速度が要求されない場面では暗号処理の段数を多くするといったことができる。
【００３６】
データ入出力部２４は、外部ネットワークとのインタフェースであり、映像データをはじめとする情報送出装置１０からの各種データを受信する機能を持つ。操作／入力部２５は、ユーザの各種の指示を外部から受け付けるためのものである。表示部２８は、デコード部２２でデコードされてメモリ部２７に記憶されているデータ及びユーザへのメッセージや装置情報を画面に表示する。データ分離部２９は、データ入出力部２４で受信されたデータをデータ種別毎に分離する。
【００３７】
図４は、情報記録装置４０の概略構成を示すブロック図である。同図において、情報記録装置４０は、データ入出力部４１、演算／制御部４２、操作／入力部４３、メモリ部４４及び不揮発性メモリ部４５を備えて構成される。データ入出力部４１は、外部ネットワークとのインタフェースであり、映像データをはじめとする情報送出装置１０からの各種データを受信する。制御／演算部４２は、操作／入力部４３へ操作指示がなされると、不揮発性メモリ部４５に予め格納されている制御プログラムに従って装置各部を制御する。操作／入力部４３は、ユーザの各種の指示を外部から受け付けるためのものである。メモリ部４４は、データ入出力部４１にて受信されたデータを記憶する。不揮発性メモリ部４５には、制御プログラム等のこの装置をコントロールするためのデータが記憶されている。
【００３８】
次に、図５を参照して、情報受信装置２０の処理概要について説明する。同図において、情報受信装置２０は、ネットワーク経由で複数の情報送出装置１０からデータを受信する。ここでは３台の情報送出装置１０−１〜１０−３からのデータを受信するものとする。情報送出装置１０−１から送出されるデータには、データにかけられている暗号の段数は１６段（round）で伝送速度は１０Ｍｂｐｓ、また情報送出装置１０−２から送出されるデータには、データにかけられている暗号の段数が８段（round）で伝送速度は２０Ｍｂｐｓ、更に情報送出装置１０−３から送出されるデータには、データにかけられている暗号の段数が４段（round）で伝送速度は４０Ｍｂｐｓであるとする。
【００３９】
これらのデータを全て処理（即ち「受信処理」、「暗号の復号処理」、「デコード（伸張）処理」）することは情報受信装置２０の能力上無理であるとすると、全ての情報送出装置１０−１〜１０−３からのデータを視聴する時には映像データがコマ落ちしたり、音声データが途切れたりすることになる。ここで、「高い段数で暗号化されたデータは重要なデータである」という条件を仮定して、暗号の段数に基づいて各データの処理に優先度を与えることとする。例えば、情報送出装置１０−１に最高の優先度を付与し、次に情報送出装置１０−２、最後に情報送出装置１０−３とする。
【００４０】
このような条件を与えることで、処理リソースを優先度の高いデータの処理に割り当て可能となる。この結果、優先度の高いデータは完全な形（コマ落ちなし、途切れなし）で視聴することが可能となる。更には、優先度の低いデータについては、処理負荷がかかる復号及びデコードを行うことなく、そのままのフォーマットでメモリ部２７に記憶することができる。これにより、情報受信装置２０の処理負荷を軽減することができるので、優先度の高いデータの視聴を確実なものとすることができる。なお、この場合、暗号化の段数に閾値を設け、その閾値に満たないデータは全て記憶するといったことも考えられる。
【００４１】
次に、情報送出装置１０から送出されるデータについて説明する。図６は、情報送出装置１０から送出されて情報受信装置２０が受信するデータの構成例を示す図である。同図において、最初に、他に同様の情報送出装置１０がある場合に、どの情報送出装置１０で生成したデータであるかを示す「送出装置Ｎｏ」６１、その次に実データに施されている暗号の段数を示す「段数部」６２、その次に実データの種別を示す「データ識別ｔａｇ」６３、最後にデータ識別ｔａｇで示される「実データ部」６４で構成される。
【００４２】
次に、各情報送出装置１０におけるデータの優先度決定基準について説明する。図７は、優先度パラメータの内容の一例である。データの処理の優先度を決める際の判定基準となるものが優先度パラメータであり、情報受信装置２０のユーザが操作／入力部２５にて設定する。図７のように、段数が大きいほど処理の優先度を高くする場合には、優先度パラメータＮｏ１をＯＮにし、逆に段数が小さいほど処理の優先度を高くする場合には、優先度パラメータＮｏ２をＯＮにする。また特定の情報送出装置１０からのデータに高い優先度を与える場合には優先度パラメータＮｏ３をＯＮにする。
【００４３】
情報受信装置２０がデータ入力出部２４にて情報送出装置１０からのデータを受信すると、該データはデータ分離部２９にて、各データ部分に分離される。データを構成する「段数部」６２から「実データ部」６４に施されている暗号化の段数が分かり、「送出装置Ｎｏ」６１からデータの生成元が分かるので、情報受信装置２０の演算／制御部２３は、これらの情報から処理の優先度を決定する。以降、演算／制御部２３は、決定した優先度に従って各部を制御することで、優先度の高いデータがきちんと表示されるようにする。
【００４４】
最後に、情報受信装置２０の処理動作について説明する。図８は、情報受信装置２０の処理動作を示すフローチャートである。同図において、先ずステップＳ８０１でデータ入出力部２４に情報送出装置１０からデータが届いているかを判断する。データを受信している場合はステップＳ８０２へ進み、そうでない場合はこのステップＳ８０１にてデータ受信の監視を行う。
【００４５】
ステップＳ８０２に進むと、受信した全データを処理することができるかどうかを判断する。この判断を行うために、予め処理負荷の見積りをしておいて、この見積りを超えるデータ量を処理しなければならない状況になった場合はステップＳ８０３へ進み、そうでない場合はステップＳ８０５へ進む。ステップＳ８０３に進むと、受信したデータ中の「段数部」（図６参照）を抽出することで、データに施されている暗号の段数を把握する。更に受信したデータ中の「送出装置Ｎｏ」を抽出することで、データの生成元を把握する。
【００４６】
ステップＳ８０４では、ステップＳ８０３で把握した段数、データの生成元と優先度パラメータとから受信しているデータの処理の優先度を決定する。データ処理の優先度を決定した後、ステップＳ８０５に進み、ステップＳ８０４で決定した優先度に基づいてデータ処理（暗号化データの復号、デコード（伸張））を行う。なお、この場合、データによっては、処理を行わないでメモリ部２７へそのままのフォーマットで記憶し、後にデータ処理（暗号化データの復号、デコード（伸張））を行うことも可能である。次いで、ステップＳ８０６で終了指示があるかどうかを判断し、指示があれば処理を終了する。指示がなければステップＳ８０７へ進む。ステップＳ８０７に進むと、優先度パラメータの変更指示が操作／入力部２５に対してなされたかどうかを判断し、変更指示がある場合にはステップＳ８０２へ進み、変更指示がない場合にはステップＳ８０５へ進む。
【００４７】
このように本実施の形態のデータ送受信システムによれば、複数の情報送出装置１０からデータが送出された場合、情報受信装置２０は、複数の情報送出装置から送出されたデータを受信して、全データを処理することが不可能なデータ量であれば、受信した各データの暗号化の段数に基づいて、各データの復号及び伸張の優先順位を決定し、決定した優先順位で各データを復号し、更に復号した各データを伸張するので、処理能力を超えたデータを処理しなければならない場合、受信した複数のデータの中から重要と考えられるデータを選び出して、他のデータよりも優先的に処理を行うことが可能となる。そして、映像監視システムでは、重要なデータの映像データがコマ落ちしたり、音声データが途切れたりすることがなくなるので、映像監視システムの役割を充分に果たすことができる。
【００４８】
また、データを記憶するメモリ部２７を備え、復号及び伸張する優先順位が低いと判断したデータを記憶するので、重要度の高いデータを復号、伸張した後に、重要度の低いデータを復号、伸張することができ、全てのデータを１つも取りこぼすことなく処理することが可能となる。特に、復号及び伸張の優先順位の決定に閾値を設定することで、重要度の低いデータを確実に分けることができる。
【産業上の利用可能性】
【００４９】
本発明は、処理能力を超えるような大量のデータが入力されても、その中から特に重要となるデータを落とすことなく取得することができるといった効果を有し、複数の情報送出装置がインターネットで接続された映像監視システム等のオープンな全てのシステムへの適用が可能である。
【図面の簡単な説明】
【００５０】
【図１】本発明の一実施の形態に係るデータ送受信システムの概略構成を示すブロック図
【図２】上記実施の形態に係るデータ送受信システムの情報送出装置の概略構成を示すブロック図
【図３】上記実施の形態に係るデータ送受信システムの情報受信装置の概略構成を示すブロック図
【図４】上記実施の形態に係るデータ送受信システムの情報記録装置の概略構成を示すブロック図
【図５】上記実施の形態に係るデータ送受信システムの情報受信装置の処理概要を説明するための図
【図６】上記実施の形態に係るデータ送受信システムの情報送出装置から送出されるデータの構成例を示す図
【図７】上記実施の形態に係るデータ送受信システムにおける優先度の決め方を説明するための図
【図８】上記実施の形態に係るデータ送受信システムの情報受信装置の処理動作を説明するためのフローチャート
【符号の説明】
【００５１】
１０、１０−１、１０−２、１０−３  情報送出装置
１１  暗号演算部
１２  データ生成部
１３、２３、４２  演算／制御部
１４、２４、４１  データ入出力部
１５、２５、４３  操作／入力部
１６、２６、４５  不揮発性メモリ部
１７  揮発性メモリ部
１８  光学部
１９  データ統合部
２０  情報受信装置
２１  暗号復号部
２２  デコード部
２７、４４  メモリ部
２８  表示部
２９  データ分離部
３０  通信ネットワーク
４０  情報記録装置
【図１】
2008147733.tif 000003
【図２】
2008147733.tif 000004
【図３】
2008147733.tif 000005
【図４】
2008147733.tif 000006
【図５】
2008147733.tif 000007
【図６】
2008147733.tif 000008
【図７】
2008147733.tif 000009
【図８】
2008147733.tif 000010